(57)【要約】  メモリ内のコンテンツの格納を制御するシステムは、デジタル同報通信送信機（３１）、デジタル同報通信受信機（１４）、または端末（１２）のようなネットワークエンティティ（２２）を含む。ネットワークエンティティ（２２）は、端末のメモリに格納された少なくとも一つのコンテンツの状態を受信できる期限制御アプリケーションを含む。各コンテンツは、クライアント期限および／または削除優先値の少なくとも一つを含む少なくとも一つのパラメータに関連付けられる。状態と、関連付けられたパラメータに基づいて、期限制御アプリケーションは、端末（１２）のメモリ内のコンテンツの格納を制御できる。
2007515700.tif 000002
【特許請求の範囲】
【請求項１】
メモリ内のコンテンツの格納を制御するシステムであって、端末のメモリに格納された少なくとも一つのコンテンツの状態を受信できる期限制御アプリケーションを備えるネットワークエンティティを備え、各コンテンツは、クライアント期限および削除優先値の少なくとも一つを含む少なくとも一つのパラメータと関連付けられ、前記ネットワークエンティティは、前記状態と前記少なくとも一つの関連付けられたパラメータに基づいて、前記端末のメモリ内のコンテンツの格納を制御できるシステム。
【請求項２】
前記期限制御アプリケーションは、前記端末のメモリが、少なくとも一つの次のコンテンツに対して十分な格納容量を有しているかを決定することができ、メモリが十分な格納容量を有していない場合は、前記端末のメモリに格納された各コンテンツの前記削除優先値に基づいて、少なくとも一つのコンテンツを削除するように、前記端末および前記端末のユーザーに指示できる請求項１に記載のシステム。
【請求項３】
前記期限制御アプリケーションは、超過したクライアント期限を有する少なくとも一つのコンテンツを決定し、前記超過したクライアント期限を有する少なくとも一つのコンテンツから、最大削除優先値を有するコンテンツを特定し、前記端末に、前記特定されたコンテンツを削除するように指示することができる請求項２に記載のシステム。
【請求項４】
前記期限制御アプリケーションは、前記端末のメモリの一つが、前記少なくとも一つの次のコンテンツに対して十分な格納容量を有し、超過したクライアント期限を有する各コンテンツが特定されて削除されるまで、繰り返してコンテンツを特定し、前記特定されたコンテンツを削除するように前記端末に指示することができる請求項３に記載のシステム。
【請求項５】
前記端末のメモリが、少なくとも一つの次のコンテンツに対して十分な格納容量を有しておらず、超過したクライアント期限を有する各コンテンツが特定されて削除されると、期限制御アプリケーションは更に、前記端末のメモリに残っている少なくとも一つのコンテンツから、最大削除優先値を有する少なくとも一つのコンテンツを特定し、前記特定された少なくとも一つのコンテンツを削除するように前記端末に指示できる請求項４に記載のシステム。
【請求項６】
前記ネットワークエンティティは、少なくとも一つのコンテンツを格納でき、前記少なくとも一つのパラメータは更に、サーバ期限を含み、前記ネットワークエンティティは、前記端末に少なくとも一つのコンテンツを送ることができる請求項１に記載のシステム。
【請求項７】
前記期限制御アプリケーションは更に、少なくとも一つのコンテンツが超過したサーバ期限を有しているかを決定するために、前記ネットワークエンティティのメモリ内の前記少なくとも一つのコンテンツの前記サーバ期限を監視することができ、少なくとも一つのコンテンツが超過したサーバ期限を有しているときは、前記超過したサーバ期限を有している少なくとも一つのコンテンツを削除するように前記ネットワークエンティティに指示できる請求項６に記載のシステム。
【請求項８】
前記ネットワークエンティティが、前記端末のメモリ内のコンテンツの格納を制御できるように、前記端末のメモリに格納された少なくとも一つのコンテンツの前記状態を送ることができる端末を更に備える請求項１に記載のシステム。
【請求項９】
前記端末は、前記端末のメモリに格納された各コンテンツを、少なくとも一つのパラメータに関連付けることができる請求項８に記載のシステム。
【請求項１０】
前記端末は、少なくとも一つのコンテンツに対して、削除優先値を設定することができる請求項９に記載のシステム。
【請求項１１】
前記ネットワークエンティティは、前記端末のメモリに格納された各コンテンツを、少なくとも一つのパラメータに関連付けることができる請求項１に記載のシステム。
【請求項１２】
メモリ内のコンテンツの格納を制御する端末であって、少なくとも一つのコンテンツを格納でき、各コンテンツは、クライアント期限および削除優先値の少なくとも一つを含む少なくとも一つのパラメータに関連付けられるメモリと、メモリ内の前記少なくとも一つのコンテンツの格納が、前記状態と前記少なくとも一つのパラメータに基づいて制御できるように、メモリに格納された前記少なくとも一つのコンテンツの前記状態を送ることができるコントローラを備える端末。
【請求項１３】
前記メモリは、前記メモリが、少なくとも一つの次のコンテンツに対して十分な格納容量を有しているかを決定でき、前記メモリが十分な格納容量を有していない場合は、前記コントローラは、メモリに格納された各コンテンツの前記削除優先値に基づいて、少なくとも一つのコンテンツを削除できるように、前記少なくとも一つのコンテンツを格納できる請求項１２に記載の端末。
【請求項１４】
前記コントローラは、少なくとも一つのコンテンツが超過したクライアント期限を有しているかを決定できるように、前記少なくとも一つのコンテンツの状態を送ることができ、前記コントローラは、超過したクライアント期限を有する前記少なくとも一つのコンテンツから、最大削除優先値を有するコンテンツを削除できる請求項１３に記載の端末。
【請求項１５】
前記コントローラは、前記端末のメモリの一つが、前記少なくとも一つの次のコンテンツに対して十分な格納容量を有し、超過したクライアント期限を有する各コンテンツが特定されて削除されるまで、超過したクライアント期限を有する前記少なくとも一つのコンテンツから、最大削除優先値を有するコンテンツを繰り返し削除できる請求項１４に記載の端末。
【請求項１６】
前記メモリが、少なくとも一つの次のコンテンツに対して十分な格納容量を有しておらず、超過したクライアント期限を有する各コンテンツが特定されて削除されると、前記コントローラは、前記端末のメモリに残っている少なくとも一つのコンテンツから、最大削除優先値を有する少なくとも一つのコンテンツを削除できる請求項１５に記載の端末。
【請求項１７】
前記コントローラは、前記メモリに格納された各コンテンツを、少なくとも一つのパラメータに関連付けることができる請求項１２に記載の端末。
【請求項１８】
前記コントローラは、少なくとも一つのコンテンツに対して、削除優先値を設定できる請求項１７に記載の端末。
【請求項１９】
メモリ内のコンテンツの格納を制御する方法であって、端末のメモリに格納された少なくとも一つのコンテンツの状態を受信し、各コンテンツが、クライアント期限と削除優先値の少なくとも一つを含む少なくとも一つのパラメータに関連付けられることと、前記状態と、前記少なくとも一つのコンテンツのそれぞれに関連付けられた前記少なくとも一つのパラメータに基づいて、前記端末のメモリ内のコンテンツを制御することを備える方法。
【請求項２０】
前記端末のメモリ内のコンテンツの格納を制御することは、前記端末のメモリが少なくとも一つの次のコンテンツに対して十分な格納容量を有するかを決定することと、メモリが十分な格納容量を有していな場合は、前記端末のメモリに格納された各コンテンツの前記削除優先値に基づいて少なくとも一つのコンテンツを削除することを含む請求項１９に記載の方法。
【請求項２１】
少なくとも一つのコンテンツを削除することは、超過したクライアント期限を有する少なくとも一つのコンテンツを決定することと、超過したクライアント期限を有する前記少なくとも一つのコンテンツから、最大削除優先値を有するコンテンツを特定し、その後、削除することを含む請求項２０に記載の方法。
【請求項２２】
コンテンツを特定し、その後、削除することは、前記端末のメモリが、前記少なくとも一つの次のコンテンツに対して十分な格納容量を有し、超過したクライアント期限を有する各コンテンツが特定されて削除されるまで、繰り返しコンテンツを特定し、その後、削除することを含む請求項２１に記載の方法。
【請求項２３】
前記端末のメモリは、少なくとも一つの次のコンテンツに対して十分な格納容量を有しておらず、超過したクライアント期限を有する各コンテンツが特定されて削除されたときは、前記方法は更に、前記端末のメモリに残っている少なくとも一つのコンテンツから、最大削除優先値を有するコンテンツを特定し、その後、削除することを含む請求項２２に記載の方法。
【請求項２４】
ネットワークエンティティにおいて少なくとも一つのコンテンツを受信することと、前記端末が少なくとも一つのコンテンツを受信し、その後、格納できるように、前記端末に前記少なくとも一つのコンテンツを送ることを含む請求項１９に記載の方法。
【請求項２５】
前記少なくとも一つのパラメータは更にサーバ期限を含み、前記方法は更に、少なくとも一つのコンテンツが超過したサーバ期限を有しているかを決定するために、前記ネットワークエンティティのメモリ内の前記少なくとも一つのコンテンツの前記サーバ期限を監視することと、少なくとも一つのコンテンツが超過したサーバ期限を有している場合は、期限が切れたサーバ期限を有する前記少なくとも一つのコンテンツを削除することを含む請求項２４に記載の方法。
【請求項２６】
前記端末のメモリに格納された各コンテンツを、少なくとも一つのパラメータに関連付けることを更に含む請求項１９に記載の方法。
【請求項２７】
各コンテンツを関連付けることは、前記端末において、少なくとも一つのコンテンツに対して削除優先値を設定することを含む請求項２６に記載の方法。
【請求項２８】
各コンテンツを関連付けることは、前記端末のメモリに格納された各コンテンツを、前記端末のメモリ内のコンテンツの格納を制御できるネットワークエンティティにおいて少なくとも一つのパラメータに関連付けることを含む請求項２６に記載の方法。
【請求項２９】
メモリ内のコンテンツの格納を制御するコンピュータプログラム製品であって、そこに格納されたコンピュータ読取り可能プログラムコード部を有するコンピュータ読取り可能格納媒体を備え、前記コンピュータ読取り可能プログラムコード部は、端末のメモリに格納された少なくとも一つのコンテンツの状態を受信する第１実行可能部であって、各コンテンツは、クライアント期限と削除優先値の少なくとも一つを含む少なくとも一つのパラメータに関連付けられる前記第１実行可能部と、前記状態と前記少なくとも一つのコンテンツのそれぞれに関連付けられた前記少なくとも一つのパラメータに基づいて、前記メモリ内のコンテンツの格納を制御するための第２実行可能部を備えるコンピュータプログラム製品。
【請求項３０】
前記第２実行可能部は、前記端末のメモリが、少なくとも一つの次のコンテンツに対して十分な格納容量を有するかどうかを決定し、メモリが十分な格納容量を有していない場合は、前記端末のメモリに格納された各コンテンツの前記削除優先値に基づいて、少なくとも一つのコンテンツを削除するように、前記端末と前記端末のユーザーの少なくともどちらかに指示するように適合されている請求項２９に記載のコンピュータプログラム製品。
【請求項３１】
前記第２実行可能部は、超過したクライアント期限を有する少なくとも一つのコンテンツを決定し、超過したクライアント期限を有する前記少なくとも一つのコンテンツから、最大削除優先値を有するコンテンツを特定し、前記特定されたコンテンツを削除するように前記端末に指示するように適合された請求項３０に記載のコンピュータプログラム製品。
【請求項３２】
前記第２実行可能部は、前記端末のメモリの一つが、前記少なくとも一つのコンテンツに対して十分な格納容量を有し、超過したクライアント期限を有する各コンテンツが特定されて削除されるまで、コンテンツを特定し、前記特定されたコンテンツを削除するように前記端末に指示するように適合された請求項３１に記載のコンピュータプログラム製品。
【請求項３３】
前記端末のメモリが、少なくとも一つの次のコンテンツに対して十分な格納容量を有しておらず、超過したクライアント期限を有する各コンテンツが特定されて削除されたときは、コンピュータプログラム製品は更に、前記端末のメモリに残っている少なくとも一つのコンテンツから最大削除優先値を有するコンテンツを特定し、その後、それを削除するように前記端末に指示する第３実行可能部を備える前記請求項３２に記載のコンピュータプログラム製品。
【請求項３４】
ネットワークエンティティにおいて、少なくとも一つのコンテンツを受信するための第３実行可能部と、前記端末が、前記少なくとも一つのコンテンツを受信し、その後、格納できるように、前記端末に少なくとも一つのコンテンツを送るための第４実行可能部を備える請求項３０に記載のコンピュータプログラム製品。
【請求項３５】
前記少なくとも一つのパラメータ更に、サーバ期限を含み、前記コンピュータプログラム製品は、少なくとも一つのコンテンツが超過したサーバ期限を有するかを決定するために、前記ネットワークエンティティのメモリ内の前記少なくとも一つのコンテンツの前記サーバ期限を監視し、少なくとも一つのコンテンツが超過したサーバ期限を有する場合は、期限が切れたサーバ期限を有する前記少なくとも一つのコンテンツを削除するための第５実行可能部を備える請求項３４に記載のコンピュータプログラム製品。
【請求項３６】
前記端末のメモリに格納された各コンテンツを、少なくとも一つのパラメータに関連付ける第３実行可能部を更に備える請求項２９に記載のコンピュータプログラム製品。
【請求項３７】
前記第３実行可能部は、前記端末において、少なくとも一つのコンテンツに対して削除優先値を設定するように適合された請求項３６に記載のコンピュータプログラム製品。
【請求項３８】
前記第３実行可能部は、前記端末のメモリ内のコンテンツの格納を制御できるネットワークエンティティにおいて、前記端末のメモリに格納された各コンテンツを少なくとも一つのパラメータに関連付けるように適合された請求項３６に記載のコンピュータプログラム製品。
【発明の詳細な説明】
【技術分野】
【０００１】
本発明は、一般的には、コンテンツ格納制御のためのシステムと方法に関し、より特別には、端末におけるコンテンツ格納制御のためのシステムおよびそれに関連付けられた端末、方法、コンピュータプログラム製品に関する。
【背景技術】
【０００２】
進歩した高ビットレート移動ネットワークの展開により、以前の第二世代ワイヤレスネットワークでは不可能であった、多くのサービスを配信できる新しい機会が開けてきた。移動通信のためのグローバルシステム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）との使用を指定されている第三世代（３Ｇ）システムを含めた最近のシステムは、ビデオコールや、オーディオおよびビデオクリップで構成されたマルチメディアアプリケーションの再生などの新しいデジタルサービスの配信を可能にしている。３Ｇシステムの高いビットレートは、デジタルサービス提供の可能性を拡げている。
【０００３】
３Ｇシステムの高いビットレートは、高品質デジタルオーディオおよび容認可能な品質の動画クリップ配信のための、十分な性能を提供する。しかしこの伝送レートにおいても、移動端末へ高品質な完全連続動画のビデオを配信したり、非常に大量のデータファイルを伝送するような、過度に高度なデータ集中タスクを取り扱うのは難しいであろう。この点に関していえば、大量データファイルをダウンロードする試みは、ユーザーにとって望ましくないほどコストがかかる、不都合なほど長い時間がかかる。このため、また他の理由により、よりコストがかからず、関連するユーザーに好都合な、高度データ集中タスクに対する現実的なソリューションを提供することができる、代替の広帯域配信技術が調べられてきている。
【０００４】
そのような配信技術の中で有望視されている一つは、デジタルビデオ放送（ＤＶＢ：Ｄｉｇｉｔａｌ  Ｖｉｄｅｏ  Ｂｒｏａｄｃａｓｔｉｎｇ）である。この点に関しては、ＤＶＢ−Ｈ（携帯型）、ＤＶＢ−Ｃ（ケーブル）、およびＤＶＢ−Ｓ（衛星）に関連するＤＶＢ−Ｔは、ＤＶＢ規格の地上用変形例である。よく知られているように、ＤＶＢ−Ｔは、デジタルＴＶ放送のために開発されたワイヤレスポイントツーマルチポイントデータ配信機構であり、ビデオおよび同期したオーディオの伝送のためのＭＰＥＧ−２トランスポートストリームに基づいている。ＤＶＧ−Ｔは、例えば、３Ｇシステムを使用する移動電気通信ネットワークを介するデータ伝送に比較すると、大量データを、同報通信チャネルで、より低コストで、より多くのユーザーに効率よく伝送できる機能を有している。ＤＶＢ−Ｔは、受信条件が急速に変化したり、丘や山のような地形など、通常、他のタイプの伝送では影響を受けてしまうような地形的条件においても、強化された性能を提供するという意味で、非常に強固であるということも示されている。
【０００５】
デジタル広帯域データ放送ネットワークが知られている。上記のように、ヨーロッパや、世界の他の地域において人気を博しているそのようなネットワークの例は、ＤＶＢであり、テレビ用コンテンツの配信に加えて、インターネットプロトコル（ＩＰ）データのようなデータの配信も可能である。広帯域データ同報通信ネットワークの他の例としては、地上総合サービスデジタル放送（ＩＳＤＢ−Ｔ：Ｔｅｒｒｅｓｔｒｉａｌ  Ｉｎｔｅｇｒａｔｅｄ  Ｓｅｒｖｉｃｅ  Ｄｉｇｉｔａｌ  Ｂｒｏａｄｃａｓｔｉｎｇ）、デジタルオーディオ放送（ＤＡＢ：Ｄｉｇｉｔａｌ  Ａｕｄｉｏ  Ｂｒｏａｄｃａｓｔｉｎｇ）、およびＭＢＭＳと、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）により提供されるネットワークがある。そのようなシステムの多くにおいては、伝送対象のコンテンツが、データコンテナのように動作するＭＰＥＧ−２パケットに置かれる、コンテナ輸送技術が利用されている。このように、コンテナは、それに制限されるわけではないが、高精細（Ｈｉｇｈ  Ｄｅｆｉｎｉｔｉｏｎ）ＴＶ，マルチチャネル規格精細ＴＶ（ＰＡＵＮＴＳＣまたはＳＥＣＡＭ）と、もちろん、広帯域マルチメディアデータおよびインタラクティブサービスを含む、適切にデジタル化されたデータであれば、どんなものでもトランスポートするために利用することができる。
【０００６】
移動電気通信と、ＤＶＢ−Ｔのような広帯域配信技術とを組み合わせた使用は、移動中のユーザーへの、デジタルサービスの効率のよい配信を達成するために、過去において提案されている。これは、個人用の通信（すでに普及している）と、インターネットアクセスへの増大する要求を、デジタル放送の予期される勃興と共に提供し、ユーザーがこれらのサービスを単一の装置で受信できるようにするという努力において、既存のインフラを利用しようとするものである。さらに、ＤＶＢ−Ｔは、多くの国で共有されている相互プラットフォーム規格であるため、周波数の互換性およびローミングの問題を軽減することになる。移動電気通信と、比較的低コストなデジタル広帯域配信技術は、オーディオおよびビデオストリーミング（例えば、ＴＶ、ラジオなど）、ファイルダウンロード、および進歩したゲームアプリケーションのような、単一方向および双方向サービスのようなインタラクティブサービスの可能性を提供する。
【０００７】
しかし、デジタル広帯域データ放送技術（例えば、ＤＶＢ−Ｔ）と組み合わせて使用するために必要な移動端末の開発には、いくつかの課題がある。この点に関して、移動端末は一般的に、制限された量のデータしか格納することができない。ＤＶＢ−Ｔの開発において、データ格納問題がそれほど重要ではない、一般的な静止環境においては、信号の受信は主にセットトップボックスにより行われると考えられていた。しかし、移動携帯装置へ、高ビットレートで大量のデータを配信する、デジタル広帯域データ放送技術の機能は、格納容量に関して、端末に非常に重い負担を課する可能性がある。このことは、複数のコンテンツが移動端末に配信され、ユーザーが一つまたは二つ以上のコンテンツを異なる時間に受信し、コンテンツの受信後にまとめてそれを見たいというときには、特に顕著である。テレコム装置として機能する移動端末にあっては、ユーザーは、利用したいと期待する必要な通信目的のために、十分に妥当な格納容量を期待するので、コンテンツの格納は特別に重要な問題である。
【発明の開示】
【０００８】
発明の概要
上記の背景を考慮して、本発明の実施形態は、コンテンツ格納制御のための、特に、移動電気通信およびデジタル放送ネットワークの操作が可能な移動端末のための、システムおよびそれに関連付けられた端末、方法、およびコンピュータプログラム製品を提供する。本発明の実施形態に係るコンテンツ格納制御を容易にするために、コンテンツは、一つまたは二つ以上のパラメータを含む。例えば、各コンテンツは、サーバ期限、クライアント期限、および／または削除優先値を含むことができる。サーバ期限、クライアント期限、および／または削除優先値に基づいて、コンテンツは、端末のメモリのようなメモリに維持、またはそこから削除できる。この点に関して、端末は、複数のコンテンツが移動端末に配信され、ユーザーが異なるコンテンツを、異なる時間に見たいと望むときであっても、端末の格納容量に対する負担を軽減しながら、高ビットレートで、大量のデータまたはコンテンツを受信することができる。
【０００９】
本発明の一つの態様によれば、メモリにおけるコンテンツ格納制御のためにシステムが提供される。本システムは、デジタル同報通信送信機、ディジタル同報通信受信機、または端末のようなネットワークエンティティを含む。ネットワークエンティティは、端末のメモリに格納された少なくとも一つのコンテンツの状態を受信することができる期限制御アプリケーションを備える。各コンテンツは、少なくともクライアント期限および／または削除優先値を含む、少なくとも一つのパラメータに関連付けられている。この状態と関連付けられたパラメータに基づいて、期限制御アプリケーションは、端末のメモリ内のコンテンツ格納を制御できる。
【００１０】
より特別には、期限制御アプリケーションは、端末のメモリが少なくとも一つの次のコンテンツに対して、十分な格納容量が有しているかを決定することができる。メモリが十分な格納容量を有していない場合は、期限制御アプリケーションは、端末のメモリに格納されている各コンテンツの削除優先値に基づいて、少なくとも一つのコンテンツを削除するように端末に指示することができる。この点に関して、期限制御アプリケーションは、超過したクライアント期限を有する少なくとも一つのコンテンツを決定することができる。この後、期限制御アプリケーションは、超過したクライアント期限を有するコンテンツから、最大削除優先値を有する一つのコンテンツを特定することができ、端末にその特定されたコンテンツを削除するように指示することができる。
【００１１】
期限制御アプリケーションは、一つのコンテンツを特定し、端末にその特定されたコンテンツを削除するように指示することを、（ａ）端末のいずれかのメモリが、少なくとも一つの次のコンテンツに対して、十分な格納容量を有するまで、または（ｂ）超過したクライアント期限を有する各コンテンツが、特定されて削除されるまで、繰り返し行うことができる。しかし、種々の例においては、端末のメモリは、少なくとも一つの次のコンテンツに対して十分な格納容量を有しておらず、超過したクライアント期限を有する各コンテンツが、特定されて削除されている。そのような例においては、期限制御アプリケーションは更に、端末に残る少なくとも一つのコンテンツから、最大削除優先値を有する少なくとも一つのコンテンツを特定でき、端末にその特定された少なくとも一つのコンテンツを削除するように指示することができる。
【００１２】
ネットワークエンティティは、パラメータが更にサーバ期限を含む場合は、少なくとも一つのコンテンツを格納することができる。コンテンツの格納に加えて、ネットワークエンティティは、端末に少なくとも一つのコンテンツを送ることができる。そのような実施形態においては、期限制御アプリケーションは更に、ネットワークエンティティのメモリにおけるコンテンツのサーバ期限を監視して、少なくとも一つのコンテンツが超過したサーバ期限を有しているかを決定する。そして、少なくとも一つのコンテンツが、超過したサーバ期限を有している場合は、期限制御アプリケーションは、超過したサーバ期限を有する少なくとも一つのコンテンツを削除するように、ネットワークエンティティに指示することができる。
【００１３】
システムは更に、ネットワークエンティティが、端末のメモリのコンテンツ格納を制御できるように、端末のメモリに格納されたコンテンツの状態を送ることができる端末を含むことができる。端末はまた、端末のメモリに格納された各コンテンツを、少なくとも一つのパラメータに関連付けることができる。例えば、端末は、少なくとも一つのコンテンツに対して、削除優先値を設定することができる。追加的に、または代替的に、ネットワークエンティティは、端末のメモリに格納された各コンテンツを、少なくとも一つのパラメータに関連付けることができる。
【００１４】
本発明の他の態様によれば、コンテンツ格納を制御するために、端末、方法、およびコンピュータプログラム製品が提供される。従って、本発明の実施形態は、コンテンツ格納制御のためのシステムおよびそれに関連付けられた端末、方法、およびコンピュータプログラム製品を提供する。本発明の実施形態のシステムおよびそれに関連付けられた端末、方法、およびコンピュータプログラム製品は、各コンテンツに関連付けられた、一つまたは二つ以上のパラメータ（例えば、サーバ期限、クライアント期限および／または削除優先値）に基づいて、端末および／またはネットワークエンティティにおいて、コンテンツ格納、またはより特別にはコンテンツの削除を制御できる。このように、端末は、端末の格納容量に対する負担を軽減しながら、高ビットレートで、大量のデータまたはコンテンツを受信することができる。本発明の実施形態は更に、複数のコンテンツが移動端末に配信され、ユーザーが異なるコンテンツを、異なる時間に見たいと望む例においても、端末の格納容量に対する負担を軽減することができる。従って、本発明の実施形態のシステムおよびそれに関連付けられた端末、方法、およびコンピュータプログラム製品は、従来技術により特定された問題を解決し、付加的な優位点を提供する。
【００１５】
一般的な観点から本発明を記述してきたが、ここで、必ずしも寸法通りには描かれてはいないが、添付図を参照する。
発明の詳細な説明
以下、本発明の良好な実施形態が示されている添付図を参照して、本発明を詳細に記述する。しかし、本発明は、多くの異なる形式で具現することが可能であり、ここに記述される実施形態に制限されると解釈されてはならず、これらの実施形態は、この開示が完璧かつ完全であり、この技術に精通した者に本発明の範囲をもらすことなく伝えるために提供される。全体を通して、類似の番号は類似の構成要素を示す。
【００１６】
図１を参照すると、本発明の恩恵を受けるであろう一つのタイプの端末とシステムの図が提供されている。本発明の実施形態のシステム、方法、およびコンピュータプログラム製品を中心に、移動通信アプリケーションと共に記載する。しかし、本発明の実施形態のシステム、方法、およびコンピュータプログラム製品は、移動通信業界と、移動通信業界外の両方において、他の種々のアプリケーションと共に利用できるということは理解されるべきである。例えば、本発明の実施形態のシステム、方法、およびコンピュータプログラム製品は、有線および／またはワイヤレスネットワーク（例えば、インターネット）アプリケーションと共に利用できる。
【００１７】
図示されるように、端末１０は、信号を、基地サイトまたは基地局（ＢＳ）１４へ送信およびそこから受信するためのアンテナ１２を含むことができる。基地局は、移動通信交換局（ＭＳＣ）１６のような、ネットワークを作動させるために必要な要素を含むセルラーネットワークの一部である。この技術に精通した者にはよく知られているように、セルラーネットワークは、基地局／ＭＳＣ／インタワーキング機能（ＢＭＩ）と称することもできる。操作において、ＭＳＣは、端末が呼を送信および受信しているときに、端末へ、および端末からの呼とメッセージを、経路を介して転送することができる。ＭＳＣはまた、端末が呼に関与しているときは、地上中継回線への接続も提供する。更に、ＭＳＣは、サーバーゲートウェイ（ＧＴＷ）２０に接続することもできる。
【００１８】
ＭＳＣ１６は、構内情報通信網（ＬＡＮ）、都市型情報通信網（ＭＡＮ）、および／または広域情報通信網（ＷＡＮ）のようなデータネットワークに接続できる。ＭＳＣはデータネットワークに直接接続できる。しかし、一つの典型的な実施形態においては、ＭＳＣはＧＴＷ２０に接続され、ＧＴＷは、インターネット２２のようなＷＡＮに接続される。その結果、処理構成要素（例えば、パーソナルコンピュータ、サーバーコンピュータ、または類似のもの）のような装置は、インターネットを介して端末１０に接続できる。例えば、下記に説明するように、処理構成要素は、その一つが図１に示されている、起点サーバ２４に関連付けられた一つまたは二つ以上の構成要素を含むことができる。
【００１９】
ＭＳＣ１６に加えて、ＢＳ１４は、信号ＧＰＲＳ（Ｇｅｎｅｒａｌ  Ｐａｃｋｅｔ  Ｒａｄｉｏ  Ｓｅｒｖｉｃｅ）サポートノード（ＳＧＳＮ）２７に接続することができる。この技術に精通した者には知られているように、ＳＧＳＮは典型的に、パケット交換サービスに対するＭＳＣ１６に類似した機能を実行することができる。ＭＳＣのように、ＳＧＳＮは、インターネット２２のようなデータネットワークに接続できる。ＳＧＳＮは、データネットワークに直接接続できる。しかし、より典型的な実施形態においては、ＳＧＳＮはＧＰＲＳコアネットワーク３３のような、パケット交換コアネットワークに接続される。パケット交換コアネットワークは、ＧＴＷ  ＧＰＲＳサポートノード（ＧＧＳＮ）２９のような別のＧＴＷに接続され、ＧＧＳＮは、インターネットに接続される。ＧＧＳＮに加えて、パケット交換コアネットワークは、ＧＴＷ２０にも接続できる。
【００２０】
ＳＧＳＮ２７を、ＧＰＲＳコアネットワーク３３とＧＧＳＮ２９に接続することにより、起点サーバ２４のような装置は、インターネット２２、ＳＧＳＮ、およびＧＧＳＮを介して端末１０に接続することができる。この点に関して、起点サーバのような装置は、ＳＧＳＮ、ＧＰＲＳ、およびＧＧＳＮを介して端末１０と通信できる。例えば、起点サーバは、マルチメディア同報通信マルチキャストサービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）などに従って、端末にコンテンツを提供できる。ＭＢＭＳに関しての更なる情報については、そのコンテンツの全体を参照によりここに組み込んだものとする、「Ｍｕｌｔｉｍｅｄｉａ  Ｂｒｏａｄｃａｓｔ  Ｍｕｌｔｉｃａｓｔ  Ｓｅｒｖｉｃｅ（ＭＢＭＳ）：マルチメディア同報通信マルチキャストサービス」というタイトルの、３ＧＰＰ（Ｔｈｉｒｄ  Ｇｎｅｒａｔｉｏｎ  Ｐａｒｔｎｅｒｓｈｉｐ  Ｐｒｏｊｅｃｔ：第３世代移動体通信システムの標準化プロジェクト）技術仕様書、３ＧＰＰ  ＴＳ  ２２．１４６を参照されたい。
【００２１】
ＢＳ１４に接続されることに加えて、端末１０は、一つまたは二つ以上の、ワイヤレスアクセスポイント（ＡＰ）２６に、ワイヤレスに接続することもできる。ＡＰは、例えば、無線周波数（ＲＦ）、ブルートゥース（ＢＴ）、赤外線（ＩｒＤＡ）、またはＷＬＡＮ技術を含む、多数の異なるワイヤレスネットワーキング技術のような技術に従って通信するように構成されたアクセスポイントを備えることができる。ＡＰは、インターネット２２に接続することができる。ＭＳＣ１６のように、ＡＰは、インターネットに直接接続することができる。しかし、一つの有利な実施形態においては、ＡＰは、ＧＴＷ２０を介して間接的にインターネットに接続される。理解されることであるが、多数の他の装置のいずれかと同様に、端末と起点サーバ２４をインターネットに直接、または間接的に接続することにより、端末はお互い同士、または、起点サーバなどと通信でき、それにより、データ、コンテンツ、または類似のものを起点サーバに送信したり、および／またはデータ、コンテンツ、または類似のものを起点サーバから受信したりするなどの、端末の種々の機能を実行することができる。ここで使用されているように、「データ」、「コンテンツ」、「情報」、および類似の用語は、本発明の実施形態に従って、送信、受信、および／または格納できるデータと互換性を持って使用することができる。このような用語のいずれもが、本発明の精神および範囲を制限するものと解釈されてはならない。
【００２２】
更に、端末１０は、追加的に、または代替的に、地上デジタルビデオ放送（例えば、ＤＶＢ−Ｔ、ＤＶＢ−Ｈ、ＩＳＤＢ−Ｔ、ＡＴＳＣなど）ネットワークのようなデジタル同報通信ネットワークを介して、ディジタル同報送信機３０に接続することができる。理解されることであるが、端末とディジタル同報送信機を直接、または間接的に接続することで、端末は、一つまたは二つ以上のテレビ、ラジオ、および／またはデータチャネル用のコンテンツのようなコンテンツを、ディジタル同報送信機から受信できる。この点に関して、ディジタル同報送信機は、ＤＶＢ−Ｔ  ＴＸのような送信機（ＴＸ）３１を含む、またはそこに接続することができる。同様に、端末は、ＤＶＢ−Ｔ受信機（図示せず）のような受信機を含むことができる。端末は、多くの異なる方法のいずれか一つまたは二つ以上の方法で、多くの異なるエンティティのいずれかからコンテンツを受信できる。一つの実施形態においては、例えば、端末は、セルラー（例えば、ＩＧ、２Ｇ、２．５Ｇ、３Ｇなど）通信技術と共に、ＤＶＢ（例えば、ＤＶＢ−Ｔ、ＤＶＢ−Ｈなど）技術に従って、データ、コンテンツ、または類似のものを送信および／または受信できる端末１０’を備えることができる。そのような実施形態においては、端末１０’は、ＤＶＢ−Ｔ  ＴＸからコンテンツを受信するためのアンテナ１２Ａ、およびＢＳ１４へ信号を送信するため、およびＢＳ１４から信号を受信するための別のアンテナ１２Ｂを含むことができる。そのような端末についての更なる情報は、そのコンテンツの全体を参照によりここに組み込んだものとする、「Ｒｅｃｅｉｖｅｒ：受信機」というタイトルで、２００１年６月２９日出願の、米国特許出願第０９／８９４，５３２号を参照されたい。
【００２３】
端末１０を、ＴＸ３１を介して直接ディジタル同報送信機３０に接続することに加えて、またはそれに代えて、端末は、デジタル同報通信（ＤＢ）受信端末２８に接続することができ、端末２８はその結果、直接および／またはＴＸを介して、ディジタル同報送信機３０に接続することができる。そのような例において、ディジタル同報通信受信機は、セットトップボックス形状のＤＶＢ−Ｔ受信機のような、ＤＶＢ−Ｔ受信機を備えることができる。端末は、個人情報通信網を介するなどして、ディジタル同報通信受信機にローカルに接続することができる。しかし、一つの有利な実施形態においては、端末は、追加的に、または代替的に、インターネット２２を介して間接的にディジタル同報通信受信機に接続することができる。
【００２４】
図２を参照すると、本発明の一つの実施形態に従って、端末１０、起点サーバ２４、ディジタル同報通信受信機２８、および／またはディジタル同報送信機３０として動作できるエンティティが示されている。分離したエンティティとして示されているが、ある実施形態においては、一つまたは二つ以上のエンティティが、一つまたは二つ以上の端末、起点サーバ、ディジタル同報通信受信機、および／またはディジタル同報送信機を、論理的には分離されているが、エンティティ内に共存するように、サポートすることができる。例えば、単一のエンティティは、論理的には分離されているが、共存している端末およびディジタル同報通信受信機をサポートすることができる。また、例えば、単一のエンティティは、論理的には分離されているが、共存しているディジタル同報通信受信機とディジタル同報送信機をサポートすることができる。
【００２５】
図示されるように、端末１０、起点サーバ２４、ディジタル同報通信受信機２８、および／またはディジタル同報送信機３０として動作できるエンティティは、一般的にメモリ３４に接続されたプロセッサ３２を含むことができる。プロセッサはまた、少なくとも一つのインタフェース３６または、データ、コンテンツ、または類似のものを送信および／または受信する他の手段に接続することができる。メモリは、揮発性および／または不揮発性メモリを備えることができ、一般的には、コンテンツ、データ、または類似のものを格納する。例えば、メモリは一般的には、本発明の実施形態に従うエンティティの動作に関連する工程を実行するための、ソフトウェアアプリケーション、命令、また類似のものを格納する。また、例えば、メモリは一般的には、端末、ディジタル同報通信受信機、および／またはディジタル同報送信機から送信された、またはそれらにより受信されたコンテンツを格納する。
【００２６】
図３を参照すると、本発明の一つの実施形態による、ディジタル同報通信受信機２８の機能ブロック図が示されている。図示されるように、ディジタル同報通信受信機は、ディジタル同報送信機３０から信号を受信し、信号を受信機（ＴＸ）４２に供給するアンテナ４０を含む。その結果、受信機は、コンテンツデータを抽出するなどのために、信号を解読、復調、および／または多重分離することができる。受信機は、コンテンツデータをプロセッサ４４に供給することができ、その後、プロセッサ４４はコンテンツデータを復号できる。そして、プロセッサは復号信号をオーディオ／ビデオ（Ａ／Ｖ）インタフェース４６に供給することができ、信号を、テレビジョンセット４８のようなモニタによる表示に適切な形式に変換できる。
【００２７】
ディジタル同報通信受信機２８は、データの一時的格納のためのキャッシュを含む、揮発性ＲＡＭ（Ｒａｎｄｏｍ  Ａｃｃｅｓｓ  Ｍｅｍｏｒｙ：ランダムアクセスメモリ）のような揮発性メモリ５０を含むことができる。ディジタル同報通信受信機はまた、内蔵可能および／または取外し可能な、不揮発性メモリ５２も含むことができる。不揮発性メモリは、追加的に、または代替的に、ＥＥＰＲＯＭ、フラッシュメモリ、ハードディスク、または類似のものを備えることができる。メモリは、ディジタル同報通信受信機の機能を実行するためにディジタル同報通信受信機により使用される、大量の情報、コンテンツ、およびデータのいずれをも格納できる。例えば、上記のように、メモリは、ディジタル同報送信機３０から受信されたもののようなコンテンツを格納できる。下記に説明するように、メモリはまた、ディジタル同報通信受信機および／または端末１０により、コンテンツの格納を制御できる期限制御アプリケーション５３を格納できる。
【００２８】
ディジタル同報通信受信機２８はまた、端末１０および／またはディジタル同報送信機３０のような、電子装置からのデータを共有および／または得るための、一つまたは二つ以上の手段も含むことができる。より特別には、ディジタル同報通信受信機は、インターネット２２のようなネットワークからのデータを共有および／または得るための、ネットワークインタフェース手段５４を含むことができる。例えば、ディジタル同報通信受信機は、インターネットのようなネットワークへデータを送信する、および／またはそこからデータを受信するように構成されたＰＣＭＣＩＡ（Ｅｔｈｅｒｎｅｔ（登録商標）  Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードを含むことができる。
【００２９】
ディジタル同報通信受信機２８はまた、端末のような電子装置からのデータを、ローカルに共有および／または得るための、一つまたは二つ以上のローカルインタフェース手段５６も含むことができる。例えば、ディジタル同報通信受信機は、無線周波数および／または赤外線伝送技術に従って、データを共有および／または得ることができるように、無線周波数送受信機および／または赤外線（ＩＲ）送受信機を備えることができる。追加的に、または代替的に、例えば、ディジタル同報通信受信機は、ブルートゥース伝送技術に従って、ディジタル同報通信受信機がデータを共有および／または得ることができるように、Ｂｌｕｅｔｏｏｔｈ（登録商標）  Ｓｐｅｃｉａｌ  Ｉｎｔｅｒｅｓｔ  Ｇｒｏｕｐにより開発されたブルートゥースブランドワイヤレス技術を使用して動作するブルートゥース（ＢＴ）送受信機を含むことができる。更に、ディジタル同報通信受信機は、追加的に、または代替的に、ＬＡＮおよび／またはＷＬＡＮ技術を含む、多数の異なる有線および／またはワイヤレスネットワーキング技術のいずれかに従って、データを共有および／または得ることができる。
【００３０】
図４を参照すると、本発明の一つの実施形態におけるディジタル同報送信機３０の機能ブロック図が示されている。ディジタル同報通信受信機２８と同様に、デジタル送信機は、データの一時的格納のためのキャッシュを含む、揮発性ＲＡＭ（Ｒａｎｄｏｍ  Ａｃｃｅｓｓ  Ｍｅｍｏｒｙ）のような揮発性メモリ６０を含むことができる。ディジタル同報送信機はまた、内蔵可能および／または取外し可能な、不揮発性メモリ６２も含むことができる。不揮発性メモリは、追加的に、または代替的に、ＥＥＰＲＯＭ、フラッシュメモリ、ハードディスク、または類似のものを備えることができる。メモリは、ディジタル同報送信機の機能を実行するためにディジタル同報送信機により使用される、大量の情報、コンテンツ、およびデータのいずれをも格納できる。例えば、上記のように、メモリはテレビジョンチャネル用のコンテンツ、および多数のテレビジョン、ラジオ、および／またはデータチャネル用の他のコンテンツのようなコンテンツを格納することができる。
【００３１】
ディジタル同報送信機３０はまた、多数のテレビジョン、ラジオ、および／またはデータチャネル用のデータを多重化することができるマルチプレクサ６４も含むことができる。マルチプレクサは、結果としての信号をＴＸ３１に供給でき、ＴＸ３１は、図１に示すように、ディジタル同報送信機から分離することもでき、または図４に示すように、ディジタル同報送信機に組み込むこともできる。ＴＸが、ディジタル同報送信機に対してどこに位置していようが、ＴＸは、アンテナ６８などを介して、暗号化、変調、増幅、および／または送信のためにマルチプレクサから信号を受信することができる。この点に関して、例えば、ディジタル同報送信機は、ＤＶＢ−Ｔのような、デジタル放送技術などに従って、ディジタル同報通信受信機２８および／または端末１０に、直接または間接的にコンテンツを送信することができる。ＤＶＢ−Ｔの情報については、そのコンテンツの全体を参照によりここに組み込んだものとする、「Ｄｉｇｉｔａｌ  Ｖｉｄｅｏ  Ｂｒｏａｄｃａｓｔｉｎｇ（ＤＶＢ）（デジタルビデオ放送）：Ｆｒａｍｉｎｇ  ｓｔｒｕｃｔｕｒｅ，ｃｈａｎｎｅｌ  ｃｏｄｉｎｇ  ａｎｄ  ｍｏｄｕｌａｔｉｏｎ  ｆｏｒ  ｄｉｇｉｔａｌ  ｔｅｒｒｅｓｔｒｉａｌ  ｔｅｌｅｖｉｓｉｏｎ（デジタル地上テレビ用フレーミング構造、チャネル符号化、および変調）、ｖ．１．１．２（１９９７）」というタイトルの、Ｅｕｒｏｐｅａｎ  Ｔｅｌｅｃｏｍｍｕｎｉｃａｔｉｏｎ  Ｓｔａｎｄａｒｄｓ  Ｉｎｓｔｉｔｕｔｅ（ＥＴＳＩ）Ｓｔａｎｄａｒｄ  ＥＮ  ３００  ７４４と、その関連仕様書を参照されたい。
【００３２】
ＤＶＢ−Ｔのような、多数のデジタル放送技術に従って、Ｉｎｔｅｒｎｅｔ  Ｐｒｏｔｏｃｏｌ（ＩＰ）Ｄａｔａｃａｓｔ（ＩＰＤＣ）（インターネットプロトコル（ＩＰ）データキャスト（ＩＰＤＣ））を、オーディオ、ビデオおよび／または他のコンテンツを端末に提供するために利用できる。この点に関して、ディジタル同報送信機３０は、デジタル放送技術を利用して、端末にＩＰデータキャスティングコンテンツを提供できる。当業者には理解されることであるが、ＤＶＢ−Ｔのようなデジタル放送技術は、本質的には、多数の異なるセルのそれぞれに関連付けられた送信サイトを有するセルラー技術である。例えば、ＤＶＢ−ＴはＭＰＥＧ−２トランスポートストリームを使用し、それにより、ＩＰデータは、ディジタル同報送信機から、またはより特別には、ＴＸ３１から送られるＤＶＢ送信信号にカプセル化することができる。ＩＰデータグラムを含むデータストリームは、いくつかのソースから供給することができ、ＩＰカプセル化装置（図示せず）によりカプセル化することができる。ＩＰカプセル化装置は、その結果、カプセル化されたＩＰデータストリームをデータ放送（例えば、ＤＶＢ−Ｔ）ネットワークに供給することができる。
【００３３】
カプセル化されたＩＰデータストリームは、一つまたは二つ以上の送信サイトに転送され、そこで送信サイトは、データ放送ネットワークのセルを形成する。例えば、カプセル化されたＩＰデータストリームは、次の、電波を介しての端末への、または一つまたは二つ以上の端末を提供する受信機局への直接の送信のために、ＭＰＥＧ−２トランスポートストリーム上の、一つまたは二つ以上の送信サイトに転送することができる。理解されることであるが、ＭＰＥＧ−２トランスポートストリームは、ＩＰカプセル化装置による生成から、端末または受信機局による受信まで、一般的には、本質的に単一方向的である。この点に関して、データを含むＩＰパケットは、トランスポートストリームパケット内で転送される、マルチプロトコルカプセル化（ＭＰＥ）部に埋め込むことができる。
【００３４】
ＩＰパケットに加えて、ＭＰＥ部はまた、前方誤り訂正（ＦＥＣ）情報とタイムスライシング情報も含むことができる。タイムスライシング情報のような情報を含むことにより、データは受信機（例えば、端末１０）により離散的に搬送でき、データが受信機に送信されていないときは、スイッチオフすることにより、バッテリ電力を節約することができる。他の言い方をすれば、一つのタイムスライシング技術に従って、連続デジタル放送（例えば、ＤＶＢ−Ｔ）送信という現在のデフォルト方法を使用するのではなく、時分割多重タイプの割り当て技術を採用することができる（例えば、ＤＶＢ−Ｈ規格を参照）。そのようなアプローチにより、サービスを一気に提供することができ、ユーザーは受信機がデータを受信していないときはパワーを下げ、必要なときは、データパケットを受信するためにパワーを上げることができる。
【００３５】
図５は、本発明の実施形態による、端末１０として動作することができる移動局の機能図を示している。ここに示し、以下に記述される移動局は、本発明の恩恵をうける端末の一つのタイプを例示しているに過ぎず、従って、本発明の範囲を制限するものと解釈されてはならないことに留意されたい。移動局のいくつかの実施形態が示され、例として目的のために以下に記述されるが、携帯情報端末（ＰＤＡ：Ｐｏｒｔａｂｌｅ  Ｄｉｇｉｔａｌ  Ａｓｓｉｓｔａｎｔｓ）、ページャー、ラップトップコンピュータ、および音声／テキスト通信システムの他のタイプのような、他のタイプの移動局も、本発明を容易に採用することができる。
【００３６】
移動局は、送信機７０、受信機７２、および、送信機と受信機へ信号を提供する、またはそこから信号を受信するコントローラ７４をそれぞれ含む。これらの信号は、適用可能なセルラーシステムの電波インタフェース規格に従う信号情報と、ユーザーの音声および／またはユーザーが生成したデータを含む。この点に関して、移動局は、電波インタフェース規格、通信プロトコル、変調タイプ、およびアクセスタイプの一つまたは二つ以上と共に動作することができる。より特別には、移動局は、多数の第一世代（１Ｇ）、第二世代（２Ｇ）、２．５Ｇ、および／または第三世代（３Ｇ）通信プロトコルまたは類似のものに従って動作できる。例えば、移動局は、２Ｇワイヤレス通信プロトコルＩＳ−１３６（ＴＤＭＡ）、ＧＳＭ、およびＩＳ−９５（ＣＤＭＡ）に従って動作できる。移動局は、追加的に、または代替的に、ＤＶＢ技術（例えば、ＤＶＢ−Ｔ、ＥＴＳＩ  Ｓｔａｎｄａｒｄ  ＥＮ３００  ７４４）のような、多数の異なるデジタル放送技術に従って動作できる。移動局はまた、ＭＢＭＳ技術（例えば、３ＧＰＰ  ＴＳ  ２２．１４６）のような、多数の異なる放送および／またはマルチキャスト技術に従って動作できる。更に、移動局は、ＩＳＤＢ−Ｔ、ＤＡＢ、ＡＴＳＣ技術、または類似の技術に従って動作できる。ＴＡＣＳと同様に、狭帯域ＡＭＰＳ（ＮＡＭＰＳ）による移動局の中には、デュアルまたは高度移動局（例えば、デジタル／アナログまたはＴＤＭＡ／ＣＤＭＡ／アナログフォン）のように、本発明の実施形態の恩恵を受けることができるものもある。
【００３７】
コントローラ７４は、移動局のオーディオおよびロジック機能を実行するために必要な回路を含むことは理解されるであろう。例えば、コントローラは、デジタル信号プロセッサ装置、マイクロプロセッサ装置、および種々のアナログ−デジタル変換器、デジタル−アナログ変換器、および他のサポート回路から構成することができる。移動局の制御および信号処理機能は、これら装置のそれぞれの機能に従って、これらの装置の間に割り当てられている。コントローラはまた、変調および送信に先立ち、メッセージとデータを複雑に暗号化およびインターリーブする機能もこのように含む。コントローラは追加的に内部音声コーダー（ＶＣ）７４Ａを含むことができ、内部データモデム（ＤＭ）７４Ｂを含むことができる。更に、コントローラは、メモリに格納できる一つまたは二つ以上のソフトウェアアプリケーションを動作させる機能を含むことができる。
【００３８】
移動局はまた、従来のイヤフォンまたはスピーカ７６、リンガ７８、マイクロフォン８０、ディスプレイ８２、およびユーザー入力インタフェースを含む、ユーザーインタフェースを備え、これらはすべてコントローラ７４に接続されている。移動局がデータを受信することを可能にするユーザー入力インタフェースは、キーパッド８４、タッチディスプレイ（図示せず）、または他の入力装置のような、移動局によるデータ受信を可能にする多数の装置のいずれかを備えることができる。キーパッドを含む実施形態においては、キーパッドは、従来の数字（０−９）および関連キー（＃、＊）、および移動局を操作するために使用される他のキーを含む。
【００３９】
移動局はまた、多数の異なる有線および／またはワイヤレス技術に従って、別の端末１０、起点サーバ２４、ＡＰ２６、ディジタル同報通信受信機２８、ディジタル同報送信機３０、または類似なもののような電子装置からのデータを共有および／または得るための、一つまたは二つ以上の手段を含むことができる。例えば、移動局は、無線周波数（ＲＦ）送受信機８６および／または赤外線（ＩＲ）送受信機８８を含むことができ、それによって、移動局は、無線周波数および／または赤外線技術に従って、データを共有および／または得ることができる。また、例えば、移動局はブルートゥース（ＢＴ）送受信機９０を含むことができ、それによって移動局は、ブルートゥース伝送技術に従って、データを共有および／または得ることができる。図示しないが、移動局は、追加的に、または代替的に、ＬＡＮおよび／またはＷＬＡＮ技術を含む、多数の異なる有線および／またはワイヤレスネットワーキング技術に従う電子装置から、データを送信および／または受信することができる。この点に関して、端末１０’に関して図１に示すように、移動局は、そのような電子装置（例えば、ディジタル同報送信機）から、データを送信および／または受信するための追加的アンテナまたは類似のものを含むことができる。
【００４０】
移動局は更に、加入者特定モジュール（ＳＩＭ）９２、取外し可能ユーザー特定モジュール（Ｒ−ＵＩＭ）、または類似なもののようなメモリを含むことができ、そのメモリは一般的に、移動加入者に関連する情報要素を格納する。ＳＩＭに加えて、移動局は他のメモリを含むことができる。この点に関して、ディジタル同報通信受信機２８およびディジタル同報送信機３０のように、移動局は揮発性メモリ９４を含むことができる。また、これもまたディジタル同報通信受信機およびディジタル同報送信機のように、移動局は他の、内蔵可能なおよび／または取外し可能な、不揮発性メモリ９６を含むことができる。メモリは、移動局の機能を実行するためにユーザーに使用される、多数の情報およびデータにいずれも格納することができる。例えば、メモリは、起点サーバ２４および／またはディジタル同報通信受信機から受信されるようなコンテンツを格納できる。また、例えば、メモリはまた、従来の、ハイパーテキスト転送プロトコル（ＨＴＴＰ：Ｈｙｐｅｒｔｅｘｔ  Ｔｒａｎｓｆｅｒ  Ｐｒｏｔｏｃｏｌ）、ファイル転送（例えば、ＦＴＰ）アプリケーション、テルネット（Ｔｅｌｎｅｔ）アプリケーション、ピアツーピアアクセスアプリケーション、または類似なものに従って通信するための、ウェブ（Ｗｅｂ）ブラウザのようなユーザーまたはホストアプリケーションも格納できる。
【００４１】
背景技術の節で説明したように、端末１０は一般的に、限られたデータ量しか格納できない。そのため、大量データを高いビットレートで端末に送るための広域データ同報通信技術の機能は、端末に、格納容量に関して重い負担を課することになりかねない。このことは、複数のコンテンツが移動端末に送られ、ユーザーが異なるコンテンツを異なる時間に見たいという場合には特に当てはまる。そのため、本発明の実施形態は、ディジタル同報通信受信機２８および／または端末におけるコンテンツ格納を制御できる。本発明の実施形態によるコンテンツ格納制御を容易にするために、ディジタル同報送信機３０のようなものからの、ディジタル同報通信受信機２８および／または端末１０に送られ、それらにより格納されるコンテンツは、一つまたは二つ以上のパラメータのセットを含む。
【００４２】
例えば、各コンテンツは、サーバ期限、クライアント期限、および／または削除優先値を含むことができる。サーバ期限は、ディジタル同報通信受信機２８、つまり、サーバーが各コンテンツを格納する最小期間を一般的に規定する絶対および／または相対時間を含む。例えば、サーバ期限は、２００３年１０月２日午後４時というような絶対時間を含むことができる。また、例えば、サーバ期限は、５日というような相対時間を含むことができる。クライアント期限は、サーバ期限と同様に、端末１０、つまりクライアントが各コンテンツを格納する最小期間を一般的に規定する絶対または相対時間を含む。
【００４３】
削除優先値は、ディジタル同報通信受信機２８のメモリ（例えば、不揮発性メモリ５２）および／または端末１０のメモリ（例えば、不揮発性メモリ９６）からコンテンツを削除する尺度を一般的に備える。この点に関して、優先度の尺度は、他のコンテンツに対しての各コンテンツの優先度の尺度を備える。サーバ期限、クライアント期限および／または優先値に基づいて、ディジタル同報通信受信機２８は、メモリにおいてコンテンツを維持、またはメモリからコンテンツを削除することができる。
【００４４】
より特別には、ディジタル同報通信受信機２８および／または端末１０においてコンテンツの格納を制御するために、ネットワークエンティティは、期限制御アプリケーション５３を操作できる。この点に関して、ネットワークエンティティは、ディジタル同報通信受信機および／または端末と通信できる多数の異なるエンティティのいずれかを備えることができる。例えば、ネットワークエンティティはデジタル同報通信送信機（例えば、ＴＸ３２）、ディジタル同報通信受信機（例えば、ＤＢ受信機２８）、または端末を備えることができる。または、例えば、ネットワークエンティティは、起点サーバ２４のような他のエンティティを備えることができる。
【００４５】
期限制御アプリケーション５３を操作するネットワークエンティティに関係なく、期限制御アプリケーションは、各コンテンツに関連付けられた一つまたは二つ以上のパラメータ（例えば、サーバ期限、クライアント期限、および／または削除優先値）に基づいて、デジタル同時通信受信機２８および／または端末１０において、コンテンツの格納または、より特別には、コンテンツの削除を制御できる。ここで記述されるように、期限制御アプリケーションは、メモリ（例えば、不揮発性メモリ５２）内に格納でき、ディジタル同報通信受信機または端末のプロセッサ（例えば、プロセッサ４４）により動作するソフトウェアを一般的に備える。しかし、期限制御アプリケーションは、本発明の精神と範囲から逸脱することなく、代替的にファームウェアまたはハードウェアを備えることができるということに留意されたい。
【００４６】
ここでも記述されるように、ネットワークエンティティは、ディジタル同報送信機３０から受信したコンテンツのようなコンテンツの格納を制御するための期限制御アプリケーションを動作させることができる。しかし、期限制御アプリケーションは、他の端末１０および／または起点サーバ２４のような他のコンテンツソースからのコンテンツの格納を制御するために、同様に動作できるということに留意されたい。更に、上記で説明したように、期限制御アプリケーションは、本発明の実施形態に従って、コンテンツ格納を制御するためのディジタル同報送信機、端末、または他の装置、サーバー、または類似のものにより同様に動作できるということに留意されたい。
【００４７】
図６を参照すると、本発明の一つの実施形態による、コンテンツ格納を制御する方法における種々のステップが示されている。ブロック１００に示すように、コンテンツ格納を制御する方法は、ディジタル同報送信機３０からのような、一つまたは二つ以上のコンテンツをディジタル同報通信受信機２８において受信および格納することを一般的に含む。本発明の実施形態に従って、コンテンツは、一つまたは二つ以上の関連付けられたパラメータを含むことができる。上記に示すように、コンテンツは、一つまたは二つ以上のテレビジョン、ラジオ、および／またはデータチャネル用のコンテンツのような、多数の異なるコンテンツのいずれかを備えることができる。これもまた上記に示したように、パラメータは、例えば、サーバ期限、クライアント期限、および／または削除優先値を含むことができる。
【００４８】
ディジタル同報通信受信機２８がコンテンツを格納した後、およびディジタル同報通信受信機がメモリ中に一つまたは二つ以上のコンテンツを維持しているとき、ディジタル同報通信受信機、またはより特別には、期限制御アプリケーション５３は、ディジタル同報通信受信機のメモリ（例えば、不揮発性メモリ５２）に格納されたコンテンツを監視することができる。この点に関して、ブロック１０２に示すように、期限制御アプリケーションは、ディジタル同報通信受信機のメモリに格納されたコンテンツのサーバ期限を監視することができる。サーバ期限を監視することにより、期限制御アプリケーションは、格納されたコンテンツの一つまたは二つ以上のいずれかのサーバ期限が超過したかを決定することができる。例えば、サーバ期限が絶対時間を備えるとき、期限制御アプリケーションは、現在の時間がサーバ期限の後かどうかを決定できる。また、例えば、サーバ期限が相対時間を備えているときは、期限制御アプリケーションは、各コンテンツ格納してから、現在の時間までの時間が相対時間を超えているかどうかを決定できる。この点に関して、ディジタル同報通信受信機は、次に行われる比較のためなどのように、ディジタル同報通信受信機が各コンテンツを格納する時間、または各コンテンツを受信する時間を格納することができる。
【００４９】
期限制御アプリケーションが、ディジタル同報通信受信機２８のメモリ（例えば、不揮発性メモリ５２）に格納された一つまたは二つ以上のコンテンツのサーバ期限が超過していると決定した場合は、期限制御アプリケーションは、ブロック１０４に示すように、ディジタル同報通信受信機のメモリから各コンテンツを削除、または除去するようにディジタル同報通信受信機に指示することができる。または、期限制御アプリケーションは、ディジタル同報送信機３０からのように、次のコンテンツを受信すると、必要であれば、ディジタル同報通信受信機のメモリから、各コンテンツを上書きするように、ディジタル同報通信受信機に指示することができる。超過したサーバ期限を有するそれらのコンテンツをメモリから削除することにより、または超過したサーバ期限を有するそれらのコンテンツをメモリにおいて上書きされるようにすることにより、期限制御アプリケーションは、ディジタル同報通信受信機のメモリ内のコンテンツ格納を制御することができる。
【００５０】
ディジタル同報通信受信機２８のメモリ内におけるコンテンツ格納の制御に加えて、またはその代わりに、期限制御アプリケーション５３は、端末１０のメモリ（例えば、不揮発性メモリ９６）内のコンテンツの格納を制御できる。この点に関して、ディジタル同報通信受信機が、一つまたは二つ以上のコンテンツを受信した後、またはより特別には、ディジタル同報通信受信機が、一つまたは二つ以上のコンテンツを格納した後、ディジタル同報通信受信機は、ブロック１０６に示すように、一つまたは二つ以上の格納されたコンテンツを、端末に送信または送ることができる。または、図１に示すように、端末は、ディジタル同報送信機３０から直接、一つまたは二つ以上のコンテンツを受信することができる。端末がコンテンツをどのように受信するかに関係なく、コンテンツを受信すると、端末はコンテンツを、不揮発性メモリなどに格納できる。
【００５１】
一つまたは二つ以上の時点において、端末１０は、ブロック１０８に示すように、メモリ状態を期限制御アプリケーション５３に送る。例えば、端末は、期限制御アプリケーション５３などに誘発されて、メモリ状態を期限制御アプリケーション５３に送ることができる。追加的に、または代替的に、例えば、端末は期限制御アプリケーション５３に、定期的にメモリ状態を送るように構成することができる。更に、例えば、端末は、メモリから一つまたは二つ以上のコンテンツを端末が削除、または除去したことに応答するなどして、端末のメモリ容量が変化したときに、メモリ状態を期限制御アプリケーションに送るように構成することができる。期限制御アプリケーション５３が、メモリ状態をいつ、そして何回受信したかに関係なく、メモリ状態は、端末のメモリと、そこに格納されたコンテンツに関する多数の異なる情報を含むことができる。例えば、メモリ状態は、端末のメモリの残余格納容量に関する情報を含むことができる。更に、例えば、メモリ状態は、各コンテンツに対するパラメータセットの一つまたは二つ以上のパラメータ、各コンテンツを端末が受信、またはダウンロードした時間、および／または端末が各コンテンツを利用した時間および／または方法を含む、メモリに格納されたコンテンツに関する情報を含むことができる。
【００５２】
理解されるように、一つまたは二つ以上の時点において、ディジタル同報通信受信機２８は、端末１０に、一つまたは二つ以上の次のコンテンツを送信または送ることを望むことができる。追加的に、または代替的に、一つまたは二つ以上の時間において、端末は、ディジタル同報通信受信機から、一つまたは二つ以上の次のコンテンツをダウンロードまたは受信することを望むことができる。ディジタル同報通信受信機が、端末に次のコンテンツを送信したいと望むにしろ、または端末がディジタル同報通信受信機から次のコンテンツをダウンロードすることを望むにしろ、一つまたは二つ以上の時点において、ディジタル同報通信受信機は、ブロック１１０に示すように、端末に送信、または送る次のコンテンツをメモリに格納する。そのような場合においては、期限制御アプリケーション５３は、ブロック１１２に示すように、端末のメモリ（例えば、不揮発性メモリ９６）が次のコンテンツを格納するのに十分な格納容量を有しているかを決定する。
【００５３】
期限制御アプリケーション５３は、端末１０のメモリ（例えば、不揮発性メモリ９６）が次のコンテンツを、多数の異なる方法のいずれかにより格納するのに十分な格納容量を有しているかを決定できる。しかし、期限制御アプリケーションは一般的に、次のコンテンツのサイズと、端末からのメモリ状態における情報から決定できる、端末のメモリ内の残余格納容量に基づいて、端末が十分な格納容量を有しているかを決定する。ブロック１１４に示すように、期限制御アプリケーションが、端末のメモリは十分な格納容量を有していると決定すると、ディジタル同報通信受信機２８は端末へ、次のコンテンツを送信、または送ることができる。次のコンテンツを受信すると、端末はそのコンテンツをメモリに格納できる。その後、ディジタル同報通信受信機は、それをする必要はないが、次のコンテンツを削除することができる、またはディジタル同報通信受信機のメモリにおいて次のコンテンツを上書きするようにすることができる。
【００５４】
期限制御アプリケーション５３が、端末のメモリは十分な格納容量を有していないと決定すると、期限制御アプリケーションは、ブロック１１６に示すように、端末のメモリに格納された、一つまたは二つ以上のコンテンツのいずれかのクライアント期限が超過したかどうかを決定できる。期限制御アプリケーションは、端末のメモリに格納されたコンテンツのいずれかのクライアント期限が超過したかを、多数の異なる方法のいずれかにより決定できる。例えば、期限制御アプリケーションは、コンテンツのいずれかがクライアント期限を超過したかどうかを、上記に説明したように、期限制御アプリケーションが、ディジタル同報通信受信機２８のメモリに格納されたコンテンツのいずれかのサーバ期限が超過したかを決定したのと同じ方法で決定できる。この点に関して、例えば、期限制御アプリケーションは、端末から受信したメモリ状態から、端末のメモリに格納されたコンテンツと、各コンテンツに対するパラメータセットの、一つまたは二つ以上のパラメータを決定できる。
【００５５】
期限制御アプリケーション５３が、端末１０のメモリ（例えば、不揮発性メモリ）に格納された一つまたは二つ以上のコンテンツのクライアント期限が超過したと判断するときは、期限制御アプリケーションは、超過したクライアント期限を有するそれらのコンテンツの中から、最大削除優先値を有するコンテンツを特定できる。最大削除優先値を有するコンテンツを特定後、期限制御アプリケーションは、ブロック１１８に示すように、メモリから各コンテンツを削除または除去するように端末、または端末のユーザーに指示することができる。その後、期限制御アプリケーションは再び、端末のメモリが次のコンテンツを格納するために十分な格納容量を有しているかを決定できる（ブロック１１２参照）。期限制御アプリケーションが、端末のメモリが、十分な格納容量を有していると決定すると、ディジタル同報通信受信機２８は、次のコンテンツを端末へ送信または送ることができる（ブロック１１４参照）。
【００５６】
しかし、期限制御アプリケーション５３が再び、端末１０のメモリが、十分な格納容量を有していないと決定すると、期限制御アプリケーションは再び、端末のメモリに残っているコンテンツから、超過したクライアント期限および最大削除優先値を有するコンテンツを特定することができる。そのようなコンテンツの特定後、期限制御アプリケーションは、メモリから各コンテンツを削除または除去するように端末、または端末のユーザーに指示することができる。この方法は、端末のメモリが十分な格納容量を得て、次のコンテンツが端末に送信されるまで、または期限制御アプリケーションが、端末のメモリは超過したクライアント期限を有するコンテンツを含んでいないと決定するまで繰り返し続けることができる。このように、削除優先値の連続した順番でコンテンツを削除することにより、端末が次のコンテンツを受信するために、端末のメモリから、超過したクライアント期限を有するすべてのコンテンツが直ちに削除されなければならないというわけではない。この点に関して、削除優先値は一般的には、最初に削除すべきコンテンツには最大優先権を割り当て、最長期間保持すべきコンテンツには最小優先権を割り当てるように設定される。
【００５７】
期限制御アプリケーション５３が、端末のメモリが次のコンテンツのための十分な格納容量を有していないと決定し、しかし、端末のメモリは、メモリから削除すべき超過したクライアント期限を有するコンテンツを含んでいないときは、端末は、ディジタル同報通信受信機２８に、端末は次のコンテンツを受信するための十分な格納容量を有していないことを通知することができる。しかし、一つの有利な実施形態においては、期限制御アプリケーションは、超過したクライアント期限を有していない端末のメモリに格納された残りのコンテンツに目を向けることができる。この点に関して、期限制御アプリケーションは、端末のメモリに残っているコンテンツの中から、最大削除優先値を有するコンテンツを特定できる。最大削除優先値を有するコンテンツの特定後、期限制御アプリケーションは、ブロック１２０に示すように、メモリから各コンテンツを削除、または除去するように端末、または端末のユーザーに指示することができる。その後、上記と同様に、期限制御アプリケーションは再び、端末のメモリが次のコンテンツを格納するための十分な格納容量を有しているかを決定できる。期限制御アプリケーションが、端末のメモリが、十分な格納容量を有していると決定するときは、ディジタル同報通信受信機は、次のコンテンツを端末へ送信、または送ることができる（ブロック１１４参照）。
【００５８】
しかし、期限制御アプリケーション５３が再び、端末のメモリは十分な格納容量を有していないと決定する場合は、期限制御アプリケーションは再び、端末１０のメモリに残るコンテンツから、最大削除優先値を有するコンテンツを特定できる。そのようなコンテンツの特定後、期限制御アプリケーションは、メモリから各コンテンツを削除、または除去するように端末、または端末のユーザーに指示することができる（ブロック１２０参照）。この方法は、端末のメモリが十分な格納容量を得て、次のコンテンツが端末に送信されるまで繰り返し続けることができる（ブロック１１４参照）。
【００５９】
従って、ディジタル同報通信受信機２８の期限制御アプリケーション５３は、各コンテンツに関連付けられたパラメータに基づいて、ディジタル同報通信受信機および／または端末１０のメモリ（例えば、不揮発性メモリ５２）のコンテンツの格納を制御することができる。より特別には、期限制御アプリケーションは、メモリから超過した格納時間を有しているコンテンツを削除することにより、ディジタル同報通信受信機のメモリ内のコンテンツ格納を制御できる。同様に、期限制御アプリケーションは、端末のメモリ内で超過した格納時間、および／またはより高い削除優先値を有するコンテンツを削除することにより、端末のメモリ内のコンテンツ格納を制御できる。このように、端末は、端末の格納容量への負担を軽減しながら、コンテンツの受信後に一度にコンテンツを見るために、異なる時間に一つまたは二つ以上のコンテンツを受信することができる。
【００６０】
上記に説明したように、期限制御アプリケーション５３が、端末１０のメモリが次のコンテンツのための十分な格納容量を有していないと決定し、しかし、端末のメモリは、メモリから削除すべき超過したクライアント期限を有するコンテンツを含んでいないときは、期限制御アプリケーションは、削除優先値の連続する順番の、端末のメモリ内に残っているコンテンツから、一つまたは二つ以上のコンテンツを削除できる。しかし、種々の場合において、次のデータを格納するために、一つまたは二つ以上のコンテンツを削除することは避けることが望ましいことに留意されたい。例えば、種々の場合において、端末のメモリ内の一つまたは二つ以上のコンテンツは、一つまたは二つ以上の次のコンテンツよりもより高い削除優先値を有する場合がある。そのような場合は、一つの実施形態によれば、削除優先値の連続する順番の、端末のメモリ内に残るコンテンツから、一つまたは二つ以上のコンテンツを削除する前に、期限制御アプリケーションは、そうする必要があるわけではないが、次のコンテンツの削除優先値を、メモリに残っているコンテンツの削除優先値と比較することができる。従って、期限制御アプリケーションは、これらのコンテンツが、次のコンテンツの削除優先値よりも高い削除優先値を有している場合は、メモリからコンテンツを削除するように端末に指示することのみができる。
【００６１】
これもまた上記に説明したように、期限制御アプリケーション５３は、各コンテンツに関連付けられたパラメータに基づいて、ディジタル同報通信受信機および／または端末１０のメモリからコンテンツを削除できる。しかし、パラメータはまた、期限制御アプリケーションが、一つまたは二つ以上の各コンテンツを削除することを禁止することもできることに留意されたい。この点に関して、一つまたは二つ以上のコンテンツは、無制限のサーバーおよび／またはクライアント期限を有することができ、および／または期限制御アプリケーションが、ディジタル同報通信受信機および／または端末に、各コンテンツを削除するように指示することを禁止する削除優先値を有することができる。一つまたは二つ以上の他のパラメータと同様に、そのようなパラメータは、ディジタル同報送信機３０において各コンテンツに関連付けることができる。追加的に、または代替的に、パラメータを各コンテンツに関連付けることができ、または関連付けられたパラメータの削除、修正などを、ユーザーの入力などに基づいて、ディジタル同報通信受信機および／または端末において行うことができる。
【００６２】
上記に説明したように、本発明の実施形態に従う、コンテンツ格納の制御を容易にするために、ディジタル同報通信受信機２８および／または端末１０に引き渡され、格納されたコンテンツは、一つまたは二つ以上のパラメータを含む。しかし、パラメータのセットは、多数の異なる方法のいずれかにより、多数の異なる時間のいずれかにおいて、多数の異なる場所のいずれかにおいて、各コンテンツに関連付けることができるということに留意されたい。例えば、上記のように、コンテンツは、パラメータのセットに関連付けることができ、パラメータは、コンテンツのソース（例えば、ディジタル同報送信機）においてコンテンツに関連付けることができる。または、例えば、ディジタル同報通信受信機２８および／または端末１０は、関連付けられたパラメータなしのコンテンツを受信できる。コンテンツ受信後、ディジタル同報通信受信機および／または端末は、各コンテンツに一つまたは二つ以上のパラメータを関連付けることができる。理解されることであるが、ディジタル同報通信受信機および／または端末は、各コンテンツに対して、すべての関連付けられるパラメータを関連付ける必要はない。例えば、ディジタル同報通信受信機は、コンテンツに対して、一つまたは二つ以上のパラメータを関連付けることができ、端末（または端末のユーザー）は、これに続いて、一つまたは二つ以上のコンテンツに対して、削除優先値を設定できる。
【００６３】
更に別の例では、ディジタル同報通信受信機２８および／または端末１０は、関連付けられたパラメータなしのコンテンツを受信できる。そして、期限制御アプリケーション５３がディジタル同報通信受信機のメモリ（例えば、不揮発性メモリ５２）に格納されたコンテンツを監視する前、または監視するとき、または期限制御アプリケーションが端末からメモリ状態を受信した後に、期限制御アプリケーションは、各コンテンツに一つまたは二つ以上のパラメータを関連付けることができる。この点に関して、特に期限制御アプリケーションがコンテンツにパラメータを関連付ける場合は、期限制御アプリケーションは、コンテンツの識別子のような、メモリ状態に含まれた情報に基づいて、パラメータを関連付けることができる。このように、パラメータは、コンテンツから分離して期限制御アプリケーションにより格納することができる。
【００６４】
本発明の一つの態様によれば、端末１０、ディジタル同報通信受信機２８、および／またはディジタル同報送信機３０の全部または一部のような、本発明のシステムの全部または一部は一般的に、コンピュータプログラム製品（例えば、期限制御アプリケーション５３）の制御のもとで動作する。本発明の実施形態の方法を実行するためのコンピュータプログラム製品は、不揮発性格納媒体のようなコンピュータ読取り可能媒体、およびコンピュータ読取り可能媒体に埋め込まれた、一連のコンピュータ命令のようなコンピュータ読取り可能プログラムコード部を含む。
【００６５】
この点に関して、図６は、本発明による方法、システム、およびプログラム製品のフローチャートである。フローチャートの各ブロックまたはステップ、およびフローチャートにおけるブロックの組み合わせは、コンピュータプログラム命令により実行されることは理解されよう。これらのコンピュータプログラム命令は、コンピュータ上または他の装置上で実行される命令が、フローチャートのブロックまたはステップにより指定された機能を実行するための手段を作成するように、コンピュータまたはマシンを生成するための他のプログラム可能装置にロードすることができる。これらのコンピュータプログラム命令もまた、コンピュータ読取り可能メモリに格納された命令が、フローチャートのブロックまたはステップで指示された機能を実行する命令手段を含む製品を生成するように、コンピュータまたは他のプログラム可能装置に特別な方法で機能するように指示できる、コンピュータ読取り可能メモリに格納できる。コンピュータプログラム命令はまた、コンピュータ上または他のプログラム可能装置上で実行される命令が、フローチャートのブロックまたはステップで指定された機能を実行するためのステップを提供するように、コンピュータにより実行される工程を生成するために、コンピュータ上または他のプログラム可能装置上で、一覧の操作ステップが実行されるように、コンピュータまたは他のプログラム可能装置にロードすることもできる。
【００６６】
従って、フローチャートのブロックまたはステップは、指定された機能を実行するための手段の組み合わせ、指定された機能を実行するためのステップの組み合わせ、および指定された機能を実行するためのプログラム命令手段の組み合わせをサポートする。フローチャートの各ブロックまたはステップ、およびフローチャートにおけるブロックまたはステップの組み合わせは、指定された機能またはステップ、または特別な目的のハードウェアおよびコンピュータ命令の組み合わせを実行する、特別な目的のハードウェアに基づくコンピュータシステムにより実行することができるということもまた理解されよう。
【００６７】
本発明に関係する技術に精通し、上記の記述および関連する図に示された教示の恩恵を受ける者は、本発明の多数の変形例および他の実施形態を想定できるであろう。従って、本発明は、開示された具体的な実施形態に制限されるものではなく、変形例と他の実施形態は、添付される請求項の範囲に含まれるということは理解されるべきである。ここでは特定の用語が採用されたが、それらの用語は、一般的かつ記述的な意味でのみ使用されており、制限する目的ではない。
【図面の簡単な説明】
【００６８】
【図１】ワイヤレスＲＦリンクを介して端末が双方向的に接続されるセルラーネットワークとデータネットワークを含む、本発明の一つの実施形態に係るワイヤレス通信システムの模式ブロック図である。
【図２】本発明の実施形態に係る、端末、起点サーバ、ディジタル同報通信受信機および／またはディジタル同報送信機として動作可能なエンティティの模式ブロック図である。
【図３】本発明の一つの実施形態に係る、ディジタル同報通信受信機の機能ブロック図である。
【図４】本発明の一つの実施形態に係る、ディジタル同報送信機の機能ブロック図である。
【図５】本発明の一つの実施形態に係る、端末として動作可能な移動局の模式ブロック図である。
【図６】本発明の一つの実施形態に係る、コンテンツ格納を制御する方法のフローチャートである。
【図１】
2007515700.tif 000003
【図２】
2007515700.tif 000004
【図３】
2007515700.tif 000005
【図４】
2007515700.tif 000006
【図５】
2007515700.tif 000007
【図６】
2007515700.tif 000008
【国際調査報告】
2007515700.tif 000009
2007515700.tif 000010
2007515700.tif 000011